【手続補正書】
【提出日】平成30年11月12日(2018.11.12)
【手続補正１】
【補正対象書類名】明細書
【補正対象項目名】００２８
【補正方法】変更
【補正の内容】
【００２８】
図１乃至図８を参照すると、パーソナル音響システム１００、更には、そのサブアセンブリと構成要素が示されている。パーソナル音響システム１００は、バンド１２０と、バンド１２０の各端部にあるイヤーピース１６０と、イヤーピース１６０をバンド１２０に接続する可撓性マウント１４０とを含む。パーソナル音響システム１００は、音響ヘッドホンシステム、ノイズ除去若しくは軽減システム、ノイズ分離システム、及び／又はその他の適切な様々な用途での使用に適合させることができる。可撓性マウント１４０は、バンド１２０と各イヤーピース１６０の間に介在して配置され、各イヤーピース１６０をバンド１２０にフレキシブルに固定する。各イヤーピース１６０と可撓性マウント１４０は、パーソナル音響システム１００のイヤーアセンブリ１１０を形成する。図示の実施形態では、パーソナル音響システム１００は、１対のイヤーアセンブリ１１０を含んでいる。他の例では、パーソナル音響システム１００は、単一のイヤーアセンブリ１１０を含んでいてもよい。
【手続補正２】
【補正対象書類名】明細書
【補正対象項目名】００３２
【補正方法】変更
【補正の内容】
【００３２】
各イヤーアセンブリ１１０のイヤーピース１６０は、ハウジング１６２と、取付部１６４と、ユーザ係合部１６８とを含んでいる。主として図４を参照すると、ユーザ係合部１６８は、取付部１６４に対向して配置されており、ユーザが装着すると、ユーザ係合部１６８はユーザの頭に面し、取付部１６４はユーザの頭から離れるように延在する。ハウジング１６２は、ユーザ係合部１６８と取付部１６４の間に配置される。他の例では、ハウジング１６２は、ユーザ係合部及び／又は取付部１６４の少なくとも一部を形成してよい。ハウジング１６２は、例えば、電気音響スピーカのような少なくとも１つの音響要素１６６（図５乃至図８）を収容する及び／又受け入れるように構成されてよい。様々な例において、ハウジング１６２内の電気音響スピーカ１６６は、イヤーピース１６０から延びる電線導管１０２（図１及び図２）に結合されてよい。電線導管１０２は、イヤーピース１６０のハウジング１６２内に収容された電気音響スピーカ１６６にオーディオプレーヤ装置（図示せず）からの電気信号を伝達するように構成されてよく、電気音響スピーカ１６６は音声に変換する。他の例では、パーソナル音響システム１００のイヤーピース１６０の１つは、図１及び図２に示す電線導管１０２を含んでよく、パーソナル音響システム１００の他方のイヤーピース１６０は、イヤーピース１６０の間のバンド１２０を通って延びる第２の導管によって、システム１００と繋がれてよい。そのような例では、バンド１２０を通って延びる第２の導管は、可撓性部材１４０内に画定されたチャネルを通って導かれてよい。導管は、可撓性部材１４０内のチャネルを通って延びて、バンド１２０の反対側の端部に取り付けられたイヤーピース１６０に達してよい。使用中、可撓性部材１４０は、本明細書で説明するように、第２の導管の周りで撓むように構成されてよい。様々な例では、イヤーピース１６０及び／又はその取付部１６４は、金属及び／又はプラスチック材料（例えば、剛性又は非エラストマープラスチック材料）で構成されてよい。取付部１６４の弾性率は、可撓性マウント１４０の弾性率よりも大きい。
【手続補正３】
【補正対象書類名】明細書
【補正対象項目名】００３３
【補正方法】変更
【補正の内容】
【００３３】
イヤーピース１６０は、ユーザの耳の上及び／又はその周囲にフィットするように構成及び適合されてよい。例えば、各イヤーピース１６０は、ユーザの耳の周りに配置される円錐形又は円錐台形のカップを形成してよい。ユーザ係合部１６８が、ユーザの耳に対して、その周囲に、及び／又はその付近に配置されると、カップ状及び／又は実質的に円錐形の形状によって、スピーカ１６６からユーザの耳へと音波が向けられる。例えば、ユーザ係合部１６８は、ユーザの頭に対して少なくとも部分的に配置するための外周及び／又は縁を規定してよい。更に、バンド１２０がユーザの頭上に配置されると、ユーザの耳は、イヤーピース１６０によって画定されるカップ内に少なくとも部分的に配置されてよい。特定の例では、ユーザ係合部１６８は、従順な及び／又は柔軟な材料を含んでよい。例えば、ユーザ係合部１６８は、クッションを含むことができ、並びに／或いは、例えば発泡体のような従順な及び／又は柔軟な材料から製造されてよい。このようなクッションは、バンド１２０がユーザの頭に対して配置されると、及び／又はイヤーピース１６０がユーザの耳に対して配置されると、ユーザの頭及び／又は耳に当たって係合するように配置されてよい。
【手続補正４】
【補正対象書類名】明細書
【補正対象項目名】００５６
【補正方法】変更
【補正の内容】
【００５６】
パーソナル音響システム４００を組み立てるために、可撓性マウント４４０は、本明細書に記載された様々な成形技術のうちの少なくとも１つを用いて、ヨーク４２６と一体的に形成されてよい。例えば、ヨーク４２６は、射出成形プロセスで形成でき、その後、可撓性マウント４４０が、ヨーク４２６と同時成形されてよい。他の例では、可撓性マウント４４０は、本明細書に記載された様々な結合手段のうちの少なくとも１つによってヨーク４２６に結合されてよい。その後、イヤーピース４６０の取付部４６４によって規定された溝の一部に、可撓性マウント４４０のフランジ４４４が位置するように、可撓性マウント４４０が、イヤーピース４６０と当接係合して配置されてよい。クリップ４９０は、次に、取付部４６４と係合するようにスナップ嵌めされて、可撓性マウント４４０をイヤーピース４６０との当接係合状態に保持することができる。例えば、片持ちアーム４９２が、イヤーピース４６０の取付部４６４の少なくとも１つの開口に挿入されてよい。クリップ４９０がイヤーピース４６０に係合すると、可撓性マウント４４０とそれに接続されたバンド４６０がイヤーピース４６０に固定される。様々な例では、組立方法は、バンド４２０の反対側の端部に第２のイヤーピースを取り付ける工程を含んでよい。
【手続補正５】
【補正対象書類名】特許請求の範囲
【補正対象項目名】全文
【補正方法】変更
【補正の内容】
【特許請求の範囲】
【請求項１】
第１のマウント（１３０）を備えるヘッドバンド（１２０）と、
円周取付面（１７０）を備える第２のマウント（１６４）と、電気音響スピーカ（１６６）とを備えるイヤーピース（１６０）と、
前記イヤーピースに前記ヘッドバンドをフレキシブルに接続する弾性グロメット（１４０）と、
を備えており、
前記弾性グロメットは、前記第１のマウントと前記第２のマウントの間に介在しており、
前記弾性グロメットは、内側取付面（３５４）を備えており、前記内側取付面は、前記円周取付面の周囲に配置されて、前記弾性グロメットを前記イヤーピースに接続する、アセンブリ（１１０）。
【請求項２】
前記第１のマウントは、環状の内面（１３０）を備えている、請求項１に記載のアセンブリ。
【請求項３】
前記円周取付面は溝（１７０）を備えており、前記弾性グロメットの一部は、少なくとも部分的に前記溝内に配置されて、前記溝と摩擦嵌合する、請求項２に記載のアセンブリ。
【請求項４】
前記溝は、外側ノッチ付き形状（３７２）を備えており、
前記弾性グロメットは、前記弾性グロメットが前記イヤーピースに対して回転するのを防止するために、前記外側ノッチ付き形状に対応する内側ノッチ付き形状（３５２）を備えている、請求項３に記載のアセンブリ。
【請求項５】
前記弾性グロメットは、第１の材料から構成されており、前記第１のマウントは第２の材料から構成されており、前記第２の材料は前記第１の材料とは異なっている、請求項１に記載のアセンブリ。
【請求項６】
前記弾性グロメット及び前記ヘッドバンドは、同時成形されたサブアセンブリを備えている、請求項５に記載のアセンブリ。
【請求項７】
前記弾性グロメットは溝（３５０）を備えており、前記環状の内面は、前記溝内に少なくとも部分的に配置される、請求項３に記載のアセンブリ。
【請求項８】
前記溝は、外側ノッチ付き形状を備えており、前記環状の内面は、前記外側ノッチ付き形状に対応する内側ノッチ付き形状を備える、請求項７に記載のアセンブリ。
【請求項９】
前記弾性グロメットは、熱可塑性エラストマー及びシリコーンからなる群から選択される材料で構成されている、請求項１に記載のアセンブリ。
【請求項１０】
少なくとも１つのリリーフ構造（４４２）が前記弾性グロメットに規定されている、請求項１に記載のアセンブリ。
【請求項１１】
第１の端部（１２２）及び第２の端部（１２４）を備えるバンド（１２０）と、
第１の電気音響スピーカ（１６６）及び第１の環状取付面（１７０）を備える第１のイヤーピースと、
第２の電気音響スピーカ（１６０）及び第２の環状取付面（１７０）を備える第２のイヤーピースと、
第１の内側取付面（３５４）を備えており、前記バンドの第１の端部を前記第１のイヤーピースにフレキシブルに接続する第１の弾性グロメット（１４０）と、
第２の内側取付面（３５４）を備えており、前記バンドの第２の端部を前記第２のイヤーピースにフレキシブルに接続する第２の弾性グロメット（１４０）と、
を備えており、
前記第１の内側取付面は、前記第１の環状取付面の周囲に配置されて、前記第１の弾性グロメットを前記第１のイヤーピースに接続し、
前記第２の内側取付面は、前記第２の環状取付面の周囲に配置されて、前記第２の弾性グロメットを前記第２のイヤーピースに接続する、アセンブリ（１１０）。
【請求項１２】
ヘッドホンアセンブリ（１１０）の製造方法であって、
前記ヘッドホンアセンブリのバンド（１２０）の端部（１２２）に弾性グロメット（１４０）を成形する工程と、 
摩擦嵌合接続によって前記弾性グロメットを前記ヘッドホンアセンブリのイヤーピース（１６０）のマウント（１６４）に接続する工程と、
含んでおり、
前記イヤーピースは、電気音響スピーカ（１６６）を含んでいる、方法。
【請求項１３】
成形する工程は、同時成形工程を含む、請求項１２に記載の方法。
【請求項１４】
前記バンドの反対側の端部（１２４）に第２の弾性グロメット（１４０）を成形する工程と、
前記第２の弾性グロメットを前記ヘッドホンアセンブリの第２のイヤーピース（１６０）の第２のマウント（１６４）に接続する工程と、
を含んでおり、
前記第２のイヤーピースは、第２の電気音響スピーカ（１６６）を備える、請求項１２に記載の方法。
【請求項１５】
成形する工程は、同時成形プロセスを含む、請求項１４に記載の方法。
【請求項１６】
前記バンドは射出成形部分を備える、請求項１２に記載の方法。
【請求項１７】
前記射出成形部分は、第１の弾性率を有する第１の材料で構成されており、
前記弾性グロメットは、第２の弾性率を有する第２の材料で構成されており、
前記第２の弾性率は、前記第１の弾性率よりも小さい、請求項１６に記載の方法。